(57)【要約】      （修正有）【課題】多額の費用をかけずに、色覚異常者に、視界の全体像を損なわずに色を判別する能力の高まる体験をさせる。【解決手段】本発明の、色覚補正フィルタセット１００は、波長が６５０ｎｍである赤色光、及び波長が４７０ｎｍである青色光の透過率が５０％より高く、かつ波長が５２５ｎｍである緑色光の透過率が２０％より低いマゼンタフィルタ１，２，３と、波長が６５０ｎｍである赤色光、及び波長が５２５ｎｍである緑色光の透過率が５０％より高く、かつ波長が４７０ｎｍである青色光の透過率が２０％より低いイエローフィルタ４，５，６と、波長が４７０ｎｍである青色光、及び波長が５２５ｎｍである緑色光の透過率が５０％より高く、かつ波長が６５０ｎｍである赤色光の透過率が２０％より低いシアンフィルタ７とからなる３種のセカンダリーカラーフィルタのうち、２種のセカンダリーカラーフィルタを備える。【選択図】図１
2018091900.tif 000002
【特許請求の範囲】
【請求項１】
色覚異常者の色覚を補正する色覚補正フィルタセットであって、
波長が６５０ｎｍである赤色光の透過率、及び波長が４７０ｎｍである青色光の透過率が５０％より高く、かつ波長が５２５ｎｍである緑色光の透過率が２０％より低いマゼンタフィルタと、
波長が６５０ｎｍである赤色光の透過率、及び波長が５２５ｎｍである緑色光の透過率が５０％より高く、かつ波長が４７０ｎｍである青色光の透過率が２０％より低いイエローフィルタと、
波長が４７０ｎｍである青色光の透過率、及び波長が５２５ｎｍである緑色光の透過率が５０％より高く、かつ波長が６５０ｎｍである赤色光の透過率が２０％より低いシアンフィルタと
からなる３種のセカンダリーカラーフィルタのうち、少なくとも２種のセカンダリーカラーフィルタを備える色覚補正フィルタセット。
【請求項２】
前記３種のセカンダリーカラーフィルタを全て備える請求項１に記載の色覚補正フィルタセット。
【請求項３】
前記緑色光、前記赤色光、及び前記青色光の透過率のうち少なくとも１つの光の透過率が異なる同種のセカンダリーカラーフィルタを備える請求項１、又は請求項２に記載の色覚補正フィルタセット。
【請求項４】
色覚異常者の色覚を補正する色覚補正方法であって、
波長が６５０ｎｍである赤色光の透過率、及び波長が４７０ｎｍである青色光の透過率が５０％より高く、かつ波長が５２５ｎｍである緑色光の透過率が２０％より低いマゼンタフィルタと、
波長が６５０ｎｍである赤色光の透過率、及び波長が５２５ｎｍである緑色光の透過率が５０％より高く、かつ波長が４７０ｎｍである青色光の透過率が２０％より低いイエローフィルタと、
波長が４７０ｎｍである青色光の透過率、及び波長が５２５ｎｍである緑色光の透過率が５０％より高く、かつ波長が６５０ｎｍである赤色光の透過率が２０％より低いシアンフィルタと
からなる３種のセカンダリーカラーフィルタのうち、１種のセカンダリーカラーフィルタで色覚異常者の左右の一方の目を覆い、他の１種のセカンダリーカラーフィルタで前記色覚異常者の左右の他方の目を覆って、前記色覚異常者に対象物を見させることを特徴とする色覚補正方法。
【発明の詳細な説明】
【技術分野】
【０００１】
この発明は、色覚異常者の色の判別を補助する色覚補正フィルタに関し、特に、同時に用いる色の異なる２枚のフィルタを備えた色覚補正フィルタセット、及びこれを用いた色覚補正方法に関する。
【背景技術】
【０００２】
従来、色覚異常者が判別しにくい色を判別する簡易な方法として、色の異なる２枚の透明フィルタを用いる方法が知られている（例えば、特許文献１、特許文献２参照）。
特許文献１では、眼鏡状の枠体の一方の窓に桃色の透明フィルタを設け、他方の窓に緑色の透明フィルタを設けた色覚補矯フィルタが提案されている。桃色フィルタは、概ね赤色光のみを通すことから、色覚異常者は、他の色から赤色を判別することができ、緑色フィルタは、概ね緑色の光のみを通すことから、色覚異常者は、他の色から緑を判別することができる。
ところが、赤や緑のフィルタは、赤、又は緑と他の色との区別が可能となる一方で、赤が赤であると、あるいは緑が緑であると認識することはできないという問題がある。
【０００３】
そこで、特許文献２では、緑と赤のフィルタを有し、その２枚のフィルタを接続する端縁の一部に空隙を設けた色判別補助具（ＡＩＤ  ＴＯ  ＴＥＬＬ  ＣＯＬＯＵＲＳ  ＡＰＡＲＴ）が提案されている。特許文献２の色判別補助具は、赤と緑のフィルタを交互に通して物を見ることにより、赤や緑の部分が点滅するようにして、その部分が赤や緑であること認識することを可能としている。さらに、間隙を挟んで赤と緑のフィルタを交互に見ることで、青と他の暗い色の判別を可能としている。
ところが、特許文献２の色判別補助具では、部分ごとに色を確認することは出来るものの、別々に確認した各部分の色を頭の中で組み合わせなければ、全体像が把握できないという問題が有る。
【０００４】
一方で、色覚異常者の色覚特性に合わせた透過率曲線を設けることで、色覚異常者が判別不能な色を判別可能とする色覚補正レンズが提案されている（例えば、特許文献３）。特許文献３の色覚補正レンズでは、色覚異常者が強く感じる光の透過率を抑え、色覚異常者が弱く感じる光の透過率を高くした透過率曲線が付与されており、光の透過率が０％近傍となる波長領域が殆ど存在しないため、使用者は、概ね全ての波長の光を視認することができ、視界の全体象を損なうことなく、色を判別する能力を高めることができる。
【先行技術文献】
【特許文献】
【０００５】
【特許文献１】公開実用昭和６１−１０６９０２号公報
【特許文献２】ＷＯ０３／０５８３２４
【特許文献３】特開２０１４−１３４６６１
【発明の概要】
【発明が解決しようとする課題】
【０００６】
しかし、特許文献３の色覚補正レンズでは、特許文献１や特許文献２のフィルタに比べてレンズが高価で、学校の授業で生徒に一斉に体験させるだけの数を買い揃えるのが難しいという問題が有る。
本発明は、上記課題に鑑みてなされたものであり、多くの色覚異常者に、視界の全体像を損なうことなく色を判別する能力の高まる体験をさせることができる安価な色覚補正フィルタセット、及びこれを用いた色覚補正方法の提供を目的とする。
【課題を解決するための手段】
【０００７】
上記課題を解決するためになされた本発明は、色覚異常者の色覚を補正する色覚補正フィルタセットであって、波長が６５０ｎｍである赤色光（以下、単に「赤色光」ともいう）の透過率、及び波長が４７０ｎｍである青色光（以下、単に「青色光」ともいう）の透過率が５０％より高く、かつ波長が５２５ｎｍである緑色光（以下、単に「緑色光」ともいう）の透過率が２０％より低いマゼンタフィルタと、波長が６５０ｎｍである赤色光の透過率、及び波長が５２５ｎｍである緑色光の透過率が５０％より高く、かつ波長が４７０ｎｍである青色光の透過率が２０％より低いイエローフィルタと、波長が４７０ｎｍである青色光の透過率、及び波長が５２５ｎｍである緑色光の透過率が５０％より高く、かつ波長が６５０ｎｍである赤色光の透過率が２０％より低いシアンフィルタとからなる３種のセカンダリーカラーフィルタのうち、少なくとも２種のセカンダリーカラーフィルタを備えることを特徴とする。
【０００８】
例えば、赤色光に比べて緑色光や青色光に対する感度が強すぎるタイプの色覚異常者は、本発明のマゼンタフィルタとイエローフィルタを備える色覚補正フィルタセットを用いる。マゼンタフィルタは、赤色光と青色光を多く透過して緑色光の多くを遮蔽する。また、イエローフィルタは、赤色光と緑色光を多く透過して青色光の多くを遮蔽する。左の目をマゼンタフィルタで覆い、右の目をイエローフィルタで覆って物を見ると、脳は、赤色光を緑色光や青色光より多く感じるため、赤色光に比べて緑色光と青色光に対する感度が強すぎる人に対し、特許文献３における赤色光に比べて緑色光と青色光の透過率を抑えた透過率曲線を有するＢ類のレンズと類似の色覚補正を行うことができる。
【０００９】
本発明の色覚異常体験フィルタは、前記３種のセカンダリーカラーフィルタを全て備えることが好ましい。マゼンタフィルタ、及びイエローフィルタを備える他に、シアンフィルタを備えることで、色覚健常者に色覚異常者の色覚を体験させることができる。即ち、イエローフィルタは、赤色光と緑色光を多く透過して青色光の多くを遮断し、シアンフィルタは、緑色光と青色光を透過させて赤色光を遮断するため、色覚健常者がイエローフィルタで一方の目を覆い、シアンフィルタで他方の目を覆って物を見ると、左右の両方の目から入る緑色光を強く感じ、左右のいずれか一方のフィルタで多くが遮断される青色光と赤色光は緑色光に比べて弱く感じる。こうして、色覚健常者が、赤色光や青色光より緑色光の感度の強い色覚異常者の色覚を擬似体験することができる。
【００１０】
本発明の色覚補正フィルタセットは、前記緑色光、前記赤色光、及び前記青色光の透過率のうち少なくとも１つの光の透過率が異なる同種のセカンダリーカラーフィルタを備えることが好ましい。例えば、赤色光と青色光の透過率の比の異なる複数のマゼンタフィルタを設けることにより、色覚異常者個々の異常の程度に合わせて、セカンダリーカラーフィルタの組み合わせを選択できる。
【００１１】
本発明は、色覚異常者の色覚を補正する色覚補正方法であって、波長が６５０ｎｍである赤色光の透過率、及び波長が４７０ｎｍである青色光の透過率が５０％より高く、かつ波長が５２５ｎｍである緑色光の透過率が２０％より低いマゼンタフィルタと、波長が６５０ｎｍである赤色光の透過率、及び波長が５２５ｎｍである緑色光の透過率が５０％より高く、かつ波長が４７０ｎｍである青色光の透過率が２０％より低いイエローフィルタと、波長が４７０ｎｍである青色光の透過率、及び波長が５２５ｎｍである緑色光の透過率が５０％より高く、かつ波長が６５０ｎｍである赤色光の透過率が２０％より低いシアンフィルタとからなる３種のセカンダリーカラーフィルタのうち、１種のセカンダリーカラーフィルタで色覚異常者の左右の一方の目を覆い、他の１種のセカンダリーカラーフィルタで前記色覚異常者の左右の他方の目を覆って、前記色覚異常者に対象物を見させることを特徴とする色覚補正方法を含む。
【発明の効果】
【００１２】
本発明の色覚補正フィルタセット、及び色覚補正方法によれば、色覚異常者に、視界の全体像を損なうことなく色を判別する能力の高まる体験を、多額の費用をかけることなく体験させることができる。
【図面の簡単な説明】
【００１３】
【図１】本発明の一の実施の形態に係る色覚補正フィルタセットの模式図である。
【図２】図１に示したマゼンタフィルタの模式的透過率曲線である。
【図３】図１に示したイエローフィルタの模式的透過率曲線である。
【図４】図１に示したシアンフィルタの模式的透過率曲線である。
【図５】マゼンタフィルタとイエローフィルタを用いた場合の効果を示した説明図である。
【図６】イエローフィルタとシアンフィルタを用いた場合の効果を示した説明図である。
【発明を実施するための形態】
【００１４】
以下、適宜図面を用いながら本発明の実施形態について詳述する。ただし、本発明は以下の実施形態に限られるものではない。
図１は、本発明に係る色覚補正フィルタセット１００を模式的に示している。色覚補正フィルタセット１００は、透明樹脂に赤と青の着色材料を混合してマゼンタに着色したマゼンタフィルタ１，２，３と、透明樹脂に赤と緑の着色材料を混合してイエローに着色したイエローフィルタ４，５，６と、緑と青の着色材料を混合してシアンに着色したシアンフィルタ７とからなる計７枚の矩形のセカンダリーカラーフィルタを備えている。着色材料としては、公知の顔料、及び公知の染料の他、本発明の趣旨に沿って樹脂を着色することができる全ての材料を用いることができる。
【００１５】
マゼンタフィルタ１〜３は、赤と青の着色材料を混合して、図２に示した透過率曲線を有するマゼンタに着色されている。マゼンタフィルタ１は、波長が６５０ｎｍである赤色光と、波長が４７０ｎｍである青色光の透過率を共に８５％に、波長が５２５ｎｍである緑色光の透過率が１０％に設けられている。マゼンタフィルタ２、及びマゼンタフィルタ３は、マゼンタフィルタ１に比べ、青色光を遮断する赤色の着色材料を少なくして青色光を通りやすくし、赤色光を遮断する青色の着色材料を多くして赤色光を通りにくくして、マゼンタフィルタ１より赤色光の透過率が低く、青色光の透過率が高い透過率曲線を有している。マゼンタフィルタ２は、赤色光の透過率が８０％、青色光の透過率が９０％、緑色光の透過率が１０％に設けられている。マゼンタフィルタ３は、赤色光の透過率が７５％、青色光の透過率が９５％、緑色光の透過率が１０％に設けられている。
【００１６】
イエローフィルタ４〜６は、赤と緑の着色材料を混合して、図３に示した透過率曲線を有するイエローに着色されている。イエローフィルタ４は、赤色光の透過率が８５％に、緑色光の透過率が８５％に、青色光の透過率が１０％に設けられている。イエローフィルタ５、及びイエローフィルタ６は、イエローフィルタ４に比べ、緑色の光を遮断する赤色の着色材料を減らして緑色光を通りやすくし、赤色光を遮断する緑色の着色材料を増やして赤色光を通りにくくして、イエローフィルタ４より赤色光の透過率が低く、緑色光の透過率が高い透過率曲線を有している。イエローフィルタ５は、赤色光の透過率が８０％、緑色光の透過率が９０％、青色光の透過率は２０％に設けられている。イエローフィルタ６は、赤色光の透過率が７５％、緑色光の透過率が９５％、青色光の透過率は３０％に設けられている。
【００１７】
シアンフィルタ７は、緑と青の着色材料を混合して、図４に示した透過率曲線を有するシアンに着色されている。具体的には、シアンフィルタ７は、赤色光の透過率が１０％、緑色光、及び青色光の透過率が共に９０％に設けられている。
【００１８】
次に、色覚補正フィルタセット１００の使用方法、及びその効果について説明する。
色覚異常者が色覚補正フィルタセット１００を用いて色覚補正体験を行う場合には、まず、マゼンタフィルタ１を左右の一方の目に、イエローフィルタ４を左右の他方の目に被せて、例えば、石原式の色覚検査表で色覚検査をしてみる。ここで、片眼に入る光の量を１００とすると、このマゼンタフィルタ１とイエローフィルタ４の組み合わせでは、両目を合わせて、赤色光が１００×８５％×２（両目）＝１７０となるのに対し、青色光は、１００×８５％＋１００×１０％＝９５、緑色光は、１００×１０％＋１００×８５％＝９５となるため、青色光と緑色光に対する感度が赤色光に対する感度に比べて同様に高い色覚特性を有する色覚異常者は、フィルタを使用しない場合に比べて、色の判別が容易になる。
【００１９】
もし、マゼンタフィルタ１とイエローフィルタ４の組み合わせで、色の判別が十分にできるようにならない場合は、マゼンタフィルタ１を、マゼンタフィルタ２やマゼンタフィルタ３に交換するか、あるいは、イエローフィルタ４をイエローフィルタ５やイエローフィルタ６に交換して、再度色覚検査表を見てみるとよい。
図１（ｂ）に示したように、マゼンタフィルタ２とイエローフィルタ５を組み合わせた場合には、両目に入る光の量を合わせて赤色光が、１００×８０％×２（両目）＝１６０となるのに対し、青色光は、１００×９０％＋１００×２０％＝１１０、緑色光は、１００×１０％＋１００×９０％＝１００となるため、マゼンタフィルタ１とイエローフィルタ４の組み合わせに比べて、赤色光と青色光、及び赤色光と緑色光の透過率の差が小さく、かつ、やや緑色光より青色光の透過率の高い透過率特性を得ることができ、赤色光に対する感度に比べ、青色光と緑色光の感度が高いものの、マゼンタフィルタ１とイエローフィルタ４の組み合わせで最も色判別能が高くなる色覚異常者に比べ、赤色光に対する感度と青や緑色光に対する感度との差が小さく、かつ青より緑に対する感度の高い色覚異常者が、より正確に色の判別を行うことが可能となる。
【００２０】
図１（ｃ）に示したように、マゼンタフィルタ３とイエローフィルタ６の組み合わせた場合には、両目を合わせて赤色光が、１００×７５％×２（両目）＝１５０となるのに対し、青色光は、１００×９５％＋１００×３０％＝１２５、緑色光は、１００×１０％＋１００×９５％＝１０５となるため、マゼンタフィルタ２とイエローフィルタ５の組み合わせに比べて、さらに、赤色光と青色光、及び赤色光と緑色光の透過率の差が小さく、かつ、やや緑色光より青色光の透過率がさらに高い透過率特性を得ることができ、赤色光に対する感度に比べ、青色光と緑色光の感度が高いものの、マゼンタフィルタ２とイエローフィルタ５の組み合わせで最も色判別能が高くなる色覚異常者に比べ、赤色光に対する感度と青色光や緑色光に対する感度との差が小さく、かつ青より緑に対する感度の高い色覚異常者が、より正確に色の判別を行うことが可能となる。
【００２１】
色覚健常者に、赤色光や青色光に比べて、緑色光に対する感度の高い色覚異常者の色覚を疑似体験させる場合には、図１（ｄ）に示すように、イエローフィルタ４で一方の目を覆い、他方の目をシアンフィルタ７で覆って色覚検査表を見せるとよい。この場合、両目を合わせて目に入る緑色光の量が１７５に対し、赤色光が９５、青色光が１００入ることになるため緑色光が強く感じられ、緑色光に対する感度が赤色光や青色光に比べ相対的に高い色覚異常者の色覚を体験することができる。
【００２２】
以上、本発明の色覚異常体験レンズは、上述した実施形態に限られず、例えば、マゼンタフィルタと、イエローフィルタと、シアンフィルタのうち２種類のセカンダリ−フィルタのみを備えるものも含む。また、上記の実施形態に加え、シアンフィルタも１種類に限らず、緑色光と青色光の透過率の比を変えた複数種類を備えるようにしてもよい。透明樹脂の代わりに透明ガラスを着色して形成してもよい。
【符号の説明】
【００２３】
色覚補正フィルタセット１００
マゼンタフィルタ１，２，３
イエローフィルタ４，５，６
シアンフィルタ７
【図１】
2018091900.tif 000003
【図２】
2018091900.tif 000004
【図３】
2018091900.tif 000005
【図４】
2018091900.tif 000006
【図５】
2018091900.tif 000007
【図６】
2018091900.tif 000008